(57)【要約】【課題】  移動局の消費電力を削減し、上り無線容量の減少を従来よりも抑えることが可能な移動通信システムを提供する。【解決手段】  移動局１の受信波が復調されると、その復調結果はユーザ情報を含むＨＳ−ＰＤＳＣＨ／ＤＰＣＨ等と制御情報を含むＨＳ−ＳＣＣＨ／ＣＰＩＣＨとに分離される。ＣＰＩＣＨ情報はＣＰＩＣＨ測定部１５での電力測定計算に使用され、受信電力測定後、品質情報生成部１６にて品質情報に変換され、品質情報処理部１７にて前回算出した品質情報との比較が行われる。品質情報処理部１７は算出した値と前回算出した値とが等しい場合、品質情報値を送信情報に含めず、算出した値と前回算出した値とが異なっている場合、保持していた品質情報を破棄して新たに算出した品質情報を格納し、また新たに算出した品質情報を基地局に対するＨＳ−ＤＰＣＣＨ上の送信情報に含める。【選択図】      図１
2006229382.tif 000002
【特許請求の範囲】
【請求項１】
高速下り方向パケット接続技術が適用される基地局と移動局とを含み、前記基地局が下り信号を送信し、前記移動局が前記基地局との間に設定した上りチャネルを利用して前記基地局から送信された下り信号の電力を測定した値によって算出された品質情報を送信し、前記基地局が前記移動局から受信した品質情報を利用して前記移動局に対する送信電力制御を行う移動通信システムであって、
前記移動局は、前記品質情報を前記基地局に対して送信する際に同一の品質情報を複数連続して送信するのを抑止する手段を有することを特徴とする移動通信システム。
【請求項２】
前記移動局は、新たに算出した品質情報と予め格納している前回の品質情報とを比較し、それらが一致した時に当該品質情報を前記基地局への送信情報内に含めず、それらが不一致の時に前記新たに算出した品質情報を前記前回の品質情報と置き換えて格納しかつ前記新たに算出した品質情報を前記送信情報内に含めることを特徴とする請求項１記載の移動通信システム。
【請求項３】
前記移動局は、ＨＳ−ＤＰＣＣＨ［Ｄｅｄｉｃａｔｅｄ  Ｐｈｙｓｉｃａｌ  Ｃｏｎｔｒｏｌ  Ｃｈａｎｎｅｌ（ｕｐｌｉｎｋ）  ｆｏｒ  ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）］設定時より所定の間隔で前記品質情報の算出処理を行うことを特徴とする請求項２記載の移動通信システム。
【請求項４】
前記移動局は、前記新たに算出した品質情報を前記送信情報として前記ＨＳ−ＤＰＣＣＨに含めることを特徴とする請求項３記載の移動通信システム。
【請求項５】
前記基地局は、前記ＨＳ−ＤＰＣＣＨ設定時より所定の間隔で前記品質情報の読出し処理を開始し、所定の時間内に受信した制御情報に品質情報値が含まれていない場合に自局に格納している品質情報値を適用して少なくとも送信電力制御処理に利用し、前記所定の時間内に受信した制御情報に品質情報値が含まれている場合に受信した品質情報値を少なくとも送信電力制御処理に利用することを特徴とする請求項３または請求項４記載の移動通信システム。
【請求項６】
前記基地局は、前記所定の時間内に受信した制御情報に品質情報値が含まれている場合に受信した品質情報値を前記自局に格納している品質情報値と置き換えて格納することを特徴とする請求項５記載の移動通信システム。
【請求項７】
前記基地局は、前記移動局から受信した品質情報の中で最新の品質情報を前記移動局毎に保持し、前記移動局から前記品質情報を受信する際に所定の間隔で品質情報を受信しなかった場合に保持している品質情報を利用して少なくとも送信電力制御処理を行うことを特徴とする請求項１から請求項６のいずれか記載の移動通信システム。
【請求項８】
前記基地局は、前記移動局での品質情報計算周期が変更になった場合、前記移動局から送信される品質情報を確認する周期を前記移動局側での品質情報計算周期に同時に変更することを特徴とする請求項１から請求項７のいずれか記載の移動通信システム。
【請求項９】
高速下り方向パケット接続技術が適用される基地局と移動局とを含み、前記基地局が下り信号を送信し、前記移動局が前記基地局との間に設定した上りチャネルを利用して前記基地局から送信された下り信号の電力を測定した値によって算出された品質情報を送信し、前記基地局が前記移動局から受信した品質情報を利用して前記移動局に対する送信電力制御を行う移動通信システムに用いられる基地局であって、
前記移動局から受信した品質情報の中で最新の品質情報を前記移動局毎に保持し、前記移動局から前記品質情報を受信する際に所定の間隔で品質情報を受信しなかった場合に保持している品質情報を利用して少なくとも送信電力制御処理を行うことを特徴とする基地局。
【請求項１０】
前記移動局での品質情報計算周期が変更になった場合、前記移動局から送信される品質情報を確認する周期を前記移動局側での品質情報計算周期に同時に変更することを特徴とする請求項９記載の基地局。
【請求項１１】
ＨＳ−ＤＰＣＣＨ［Ｄｅｄｉｃａｔｅｄ  Ｐｈｙｓｉｃａｌ  Ｃｏｎｔｒｏｌ  Ｃｈａｎｎｅｌ（ｕｐｌｉｎｋ）  ｆｏｒ  ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）］設定時より所定の間隔で前記品質情報の読出し処理を開始し、所定の時間内に受信した制御情報に品質情報値が含まれていない場合に自局に格納している品質情報値を適用して少なくとも送信電力制御処理に利用し、前記所定の時間内に受信した制御情報に品質情報値が含まれている場合に受信した品質情報値を少なくとも送信電力制御処理に利用することを特徴とする請求項９または請求項１０記載の基地局。
【請求項１２】
前記所定の時間内に受信した制御情報に品質情報値が含まれている場合に受信した品質情報値を前記自局に格納している品質情報値と置き換えて格納することを特徴とする請求項１１記載の基地局。
【請求項１３】
高速下り方向パケット接続技術が適用される基地局と移動局とを含み、前記基地局が下り信号を送信し、前記移動局が前記基地局との間に設定した上りチャネルを利用して前記基地局から送信された下り信号の電力を測定した値によって算出された品質情報を送信し、前記基地局が前記移動局から受信した品質情報を利用して前記移動局に対する送信電力制御を行う移動通信システムに用いられる移動局であって、
前記品質情報を前記基地局に対して送信する際に同一の品質情報を複数連続して送信するのを抑止する手段を有することを特徴とする移動局。
【請求項１４】
新たに算出した品質情報と予め格納している前回の品質情報とを比較し、それらが一致した時に当該品質情報を前記基地局への送信情報内に含めず、それらが不一致の時に前記新たに算出した品質情報を前記前回の品質情報と置き換えて格納しかつ前記新たに算出した品質情報を前記送信情報内に含めることを特徴とする請求項１３記載の移動局。
【請求項１５】
ＨＳ−ＤＰＣＣＨ［Ｄｅｄｉｃａｔｅｄ  Ｐｈｙｓｉｃａｌ  Ｃｏｎｔｒｏｌ  Ｃｈａｎｎｅｌ（ｕｐｌｉｎｋ）  ｆｏｒ  ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）］設定時より所定の間隔で前記品質情報の算出処理を行うことを特徴とする請求項１４記載の移動局。
【請求項１６】
前記新たに算出した品質情報を前記送信情報として前記ＨＳ−ＤＰＣＣＨに含めることを特徴とする請求項１５記載の移動局。
【請求項１７】
高速下り方向パケット接続技術が適用される基地局と移動局とを含み、前記基地局が下り信号を送信し、前記移動局が前記基地局との間に設定した上りチャネルを利用して前記基地局から送信された下り信号の電力を測定した値によって算出された品質情報を送信し、前記基地局が前記移動局から受信した品質情報を利用して前記移動局に対する送信電力制御を行う移動通信システムに用いる通信制御方法であって、前記移動局が、前記品質情報を前記基地局に対して送信する際に同一の品質情報を複数連続して送信するのを抑止する処理を実行することを特徴とする通信制御方法。
【請求項１８】
前記移動局が、新たに算出した品質情報と予め格納している前回の品質情報とを比較し、それらが一致した時に当該品質情報を前記基地局への送信情報内に含めず、それらが不一致の時に前記新たに算出した品質情報を前記前回の品質情報と置き換えて格納しかつ前記新たに算出した品質情報を前記送信情報内に含めることを特徴とする請求項１７記載の通信制御方法。
移動通信システム。
【請求項１９】
前記移動局が、ＨＳ−ＤＰＣＣＨ［Ｄｅｄｉｃａｔｅｄ  Ｐｈｙｓｉｃａｌ  Ｃｏｎｔｒｏｌ  Ｃｈａｎｎｅｌ（ｕｐｌｉｎｋ）  ｆｏｒ  ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）］設定時より所定の間隔で前記品質情報の算出処理を行うことを特徴とする請求項１８記載の通信制御方法。
【請求項２０】
前記移動局が、前記新たに算出した品質情報を前記送信情報として前記ＨＳ−ＤＰＣＣＨに含めることを特徴とする請求項１９記載の通信制御方法。
【請求項２１】
前記基地局が、前記ＨＳ−ＤＰＣＣＨ設定時より所定の間隔で前記品質情報の読出し処理を開始し、所定の時間内に受信した制御情報に品質情報値が含まれていない場合に自局に格納している品質情報値を適用して少なくとも送信電力制御処理に利用し、前記所定の時間内に受信した制御情報に品質情報値が含まれている場合に受信した品質情報値を少なくとも送信電力制御処理に利用することを特徴とする請求項１９または請求項２０記載の通信制御方法。
【請求項２２】
前記基地局が、前記所定の時間内に受信した制御情報に品質情報値が含まれている場合に受信した品質情報値を前記自局に格納している品質情報値と置き換えて格納することを特徴とする請求項２１記載の通信制御方法。
【請求項２３】
前記基地局が、前記移動局から受信した品質情報の中で最新の品質情報を前記移動局毎に保持し、前記移動局から前記品質情報を受信する際に所定の間隔で品質情報を受信しなかった場合に保持している品質情報を利用して少なくとも送信電力制御処理を行うことを特徴とする請求項１７から請求項２２のいずれか記載の通信制御方法。
【請求項２４】
前記基地局が、前記移動局での品質情報計算周期が変更になった場合、前記移動局から送信される品質情報を確認する周期を前記移動局側での品質情報計算周期に同時に変更することを特徴とする請求項１７から請求項２３のいずれか記載の通信制御方法。
【発明の詳細な説明】
【技術分野】
【０００１】
本発明は移動通信システム、基地局、移動局及びそれらに用いる通信制御方法に関し、特にＨＳＤＰＡ（Ｈｉｇｈ−Ｓｐｅｅｄ  Ｄｏｗｎ−Ｌｉｎｋ  Ｐａｃｋｅｔ  Ａｃｃｅｓｓ；高速下り方向パケット接続）方式が使用される符号分割多重接続の移動通信システムにおいて品質情報送信を効率良く行う方法に関する。
【背景技術】
【０００２】
広帯域ＣＤＭＡ（Ｃｏｄｅ  Ｄｉｖｉｓｉｏｎ  Ｍｕｌｔｉｐｌｅ  Ａｃｃｅｓｓ）無線通信システムの標準化プロジェクト「３ＧＰＰ（３ｒｄＧｅｎｅｒａｔｉｏｎ  Ｐａｒｔｎｅｒｓｈｉｐ  Ｐｒｏｊｅｃｔ）」においては、下り方向高速パケット伝送方式であるＨＳＤＰＡの標準化が行われている。
【０００３】
ＨＳＤＰＡ方式では、下り方向チャネルとして、ＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ；高速下り共用チャネル）とＨＳ−ＳＣＣＨ（Ｓｈａｒｅｄ  Ｃｏｎｔｒｏｌ  Ｃｈａｎｎｅｌ  ｏｆ  ＨＳ−ＰＤＳＣＨ）が使用される。ＨＳ−ＰＤＳＣＨはパケットデータを送信するために使用され、複数の移動局で共有される。ＨＳ−ＳＣＣＨはＨＡＲＱ（Ｈｙｂｒｉｄ  Ａｕｔｏｍａｔｉｃ  Ｒｅｐｅａｔ  Ｒｅｑｕｅｓｔ）制御に関する情報やＴＦＲＩ（Ｔｒａｎｓｐｏｒｔ−Ｆｏｒｍａｔ  ａｎｄ  Ｒｅｓｏｕｒｃｅ  Ｒｅｌａｔｅｄ  Ｉｎｆｏｒｍａｔｉｏｎ）等のＨＳ−ＰＤＳＣＨのレイヤ１情報を送信する。
【０００４】
ＨＳＤＰＡ方式で定められた上り方向チャネルとして、ＨＳ−ＤＰＣＣＨ（Ｈｉｇｈ  Ｓｐｅｅｄ−Ｄｅｌｉｃａｔｅｄ  Ｐｈｙｓｉｃａｌ  Ｃｏｎｔｒｏｌ  Ｃｈａｎｎｅｌ；上り品質制御用チャネル）がある。これは、ＨＡＲＱの応答情報と品質情報とを送信するために用いられる（例えば、特許文献１参照）。また、Ｈ−ＡＲＱとは、再送制御と訂正符号化処理とを組み合わせた符号化方式である。
【０００５】
ここで、品質情報とは、ＣＰＩＣＨ（Ｃｏｍｍｏｎ  Ｐｉｌｏｔ  Ｃｈａｎｎｅｌ；共通パイロット信号）の品質を測定したものである。この品質情報は移動局から基地局へ、ＨＳ−ＰＤＳＣＨの符号化レート決定のために基地局に対して伝播路の通信状況を通知する。また、品質とは、Ｅｃ／Ｉｏ（チップ当りのエネルギ／単位周波数当りの干渉波電力）で示される。
【０００６】
【特許文献１】特開２００３−１９９１７３号公報
【発明の開示】
【発明が解決しようとする課題】
【０００７】
上述した従来のＨＳＤＰＡ方式では、ＨＳ−ＰＤＳＣＨの設定以降、継続的に所定の間隔で品質情報が送信されるため、上りの干渉波電力が増加し、また上り無線回線容量を制限している。それに伴って、従来のＨＳＤＰＡ方式では、移動局側の電力消費も増加し、バッテリの動作時間が短くなるという問題がある。
【０００８】
そこで、本発明の目的は上記の問題点を解消し、移動局の消費電力を削減することができ、上り無線容量の減少を従来よりも抑えることができる移動通信システム、基地局、移動局及びそれらに用いる通信制御方法を提供することにある。
【課題を解決するための手段】
【０００９】
本発明による移動通信システムは、高速下り方向パケット接続技術が適用される基地局と移動局とを含み、前記基地局が下り信号を送信し、前記移動局が前記基地局との間に設定した上りチャネルを利用して前記基地局から送信された下り信号の電力を測定した値によって算出された品質情報を送信し、前記基地局が前記移動局から受信した品質情報を利用して前記移動局に対する送信電力制御を行う移動通信システムであって、
前記移動局は、前記品質情報を前記基地局に対して送信する際に同一の品質情報を複数連続して送信するのを抑止する手段を備えている。
【００１０】
本発明による基地局は、高速下り方向パケット接続技術が適用される基地局と移動局とを含み、前記基地局が下り信号を送信し、前記移動局が前記基地局との間に設定した上りチャネルを利用して前記基地局から送信された下り信号の電力を測定した値によって算出された品質情報を送信し、前記基地局が前記移動局から受信した品質情報を利用して前記移動局に対する送信電力制御を行う移動通信システムに用いられる基地局であって、
前記移動局から受信した品質情報の中で最新の品質情報を前記移動局毎に保持し、前記移動局から前記品質情報を受信する際に所定の間隔で品質情報を受信しなかった場合に保持している品質情報を利用して少なくとも送信電力制御処理を行っている。
【００１１】
本発明による移動局は、高速下り方向パケット接続技術が適用される基地局と移動局とを含み、前記基地局が下り信号を送信し、前記移動局が前記基地局との間に設定した上りチャネルを利用して前記基地局から送信された下り信号の電力を測定した値によって算出された品質情報を送信し、前記基地局が前記移動局から受信した品質情報を利用して前記移動局に対する送信電力制御を行う移動通信システムに用いられる移動局であって、
前記品質情報を前記基地局に対して送信する際に同一の品質情報を複数連続して送信するのを抑止する手段を備えている。
【００１２】
本発明による通信制御方法は、高速下り方向パケット接続技術が適用される基地局と移動局とを含み、前記基地局が下り信号を送信し、前記移動局が前記基地局との間に設定した上りチャネルを利用して前記基地局から送信された下り信号の電力を測定した値によって算出された品質情報を送信し、前記基地局が前記移動局から受信した品質情報を利用して前記移動局に対する送信電力制御を行う移動通信システムに用いる通信制御方法であって、前記移動局が、前記品質情報を前記基地局に対して送信する際に同一の品質情報を複数連続して送信するのを抑止する処理を実行している。
【００１３】
すなわち、本発明の移動通信システムは、基地局と移動局とを含み、基地局が移動局に対して下り信号を送信し、移動局が基地局間に上り制御チャネルを設定するともに、基地局から受信した下り信号の受信品質を測定し、設定した上りチャネルを用いて受信品質を基地局に対して送信している。基地局は移動局から受信した受信品質を用いて送信データの符号化レートを決定するとともに、移動局から受信した品質情報のうち最新の品質情報を、下り制御信号を設定している移動局毎に常に格納する。また、移動局も基地局に送信した品質情報のうち最新の品質情報を常に保持する。
【００１４】
本発明の移動通信システムでは、基地局が移動局と上り制御チャネルを設定してパイロット信号を送信し、移動局がこのパイロット信号の受信品質を測定し、測定された受信品質情報を上り品質制御チャネルを用いて基地局に送信するＨＳＤＰＡ（Ｈｉｇｈ−Ｓｐｅｅｄ  Ｄｏｗｎ−Ｌｉｎｋ  Ｐａｃｋｅｔ  Ａｃｃｅｓｓ；高速下り方向パケット接続）方式が用いられており、移動局で複数回連続して同じ品質情報が算出された場合、二度目以降の品質情報を基地局側に送信せず、基地局側がある所定の間隔で移動局側から送信されるはずの品質情報を受信しなかった場合、基地局がその時点で保持している最新の品質情報を送信電力制御等の処理に適用する。
【００１５】
これによって、本発明の移動通信システムでは、必要な場合だけ移動局から基地局へ品質情報を送信することになるので、移動局の消費電力の削減及び上り無線リンクおける干渉波電力の削減による上り無線容量増加等の効果が得られる。
【００１６】
また、本発明の移動通信システムでは、所定の間隔で毎回品質情報を実施しなくても異常処理としない構成を用意することによって、例えば移動局側で処理量の大きいＳＮＲ（Ｓｉｇｎａｌ  Ｎｏｉｓｅ  Ｒａｔｉｏ）計算を伴う品質情報計算が所定の間隔に間に合わなかった場合でもシステム全体の動作が破綻しないため、システム全体の安定性を高めるという効果が得られる。
【発明の効果】
【００１７】
本発明は、以下に述べるような構成及び動作とすることで、移動局の消費電力を削減することができ、上り無線容量の減少を従来よりも抑えることができるという効果が得られる。
【発明を実施するための最良の形態】
【００１８】
次に、本発明の実施例について図面を参照して説明する。図１は本発明の一実施例による移動局の構成を示すブロック図である。図１において、移動局１はアンテナ１１と、Ｄｕｐ（Ｄｕｐｌｅｘｅｒ：共用器）１２と、受信ＲＦ（Ｒａｄｉｏ  Ｆｒｅｑｕｅｎｃｙ）部１３と、ＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ；高速下り共用チャネル）／ＨＳ−ＳＣＣＨ（Ｓｈａｒｅｄ  Ｃｏｎｔｒｏｌ  Ｃｈａｎｎｅｌ  ｏｆ  ＨＳ−ＰＤＳＣＨ）／ＤＰＣＨ（Ｄｅｄｉｃａｔｅｄ  Ｐｈｙｓｉｃａｌ  Ｃｈａｎｎｅｌ）復調部１４と、ＣＰＩＣＨ（Ｃｏｍｍｏｎ  Ｐｉｌｏｔ  Ｃｈａｎｎｅｌ；共通パイロット信号）測定部１５と、品質情報生成部１６と、品質情報処理部１７と、ＭＵＸ（Ｍｕｌｔｉｐｌｅｘｅｒ；多重部）１８，２１と、変調部１９，２０と、送信ＲＦ部２２とから構成されている。
【００１９】
上記の移動局１の受信波はアンテナ１１と受信ＲＦ部１２とＨＳ−ＰＤＳＣＨ／ＨＳ−ＳＣＣＨ／ＤＰＣＨ復調部１４とを介して復調され、復調結果はユーザ情報を含むＨＳ−ＰＤＳＣＨ／ＤＰＣＨ等と制御情報を含むＨＳ−ＳＣＣＨ／ＣＰＩＣＨとに分離される。
【００２０】
制御情報のうちのＣＰＩＣＨ情報はＣＰＩＣＨ測定部１５での電力測定計算に使用され、受信電力測定後、品質情報生成部１６にて品質情報に変換され、品質情報処理部１７にて前回算出した品質情報との比較が行われる。品質情報処理部１７は算出した品質情報値と前回算出した品質情報値とが等しい場合、品質情報値を送信情報に含めない。一方、品質情報処理部１７は算出した品質情報値と前回算出した品質情報値とが異なっている場合、保持していた品質情報を破棄して新たに算出した品質情報を格納し、また新たに算出した品質情報を基地局（図示せず）に対するＨＳ−ＤＰＣＣＨ［Ｄｅｄｉｃａｔｅｄ  Ｐｈｙｓｉｃａｌ  Ｃｏｎｔｒｏｌ  Ｃｈａｎｎｅｌ（ｕｐｌｉｎｋ）  ｆｏｒ  ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）］上の送信情報に含める。
【００２１】
図２は本発明の一実施例による基地局の構成を示すブロック図である。図２において、基地局３はアンテナ３１と、Ｄｕｐ３２と、受信ＲＦ部３３と、復調部３４と、分離部３５と、品質情報処理部３６と、変調部３７と、送信電力制御部３８と、ＭＵＸ３９と、送信ＲＦ部４０とから構成されている。
【００２２】
上記の基地局３の受信波はアンテナ３１と受信ＲＦ部３２と復調部３４とを介して復調され、分離部３５にてユーザ情報と品質情報及びその他の制御情報とに分離される。品質情報処理部３６は制御情報に含まれる品質情報の有無を確認し、品質情報が制御情報に含まれていなかった場合、対象の移動局１から前回受信して格納していた品質情報値を使用する。
【００２３】
また、品質情報処理部３６は品質情報が制御情報に含まれていた場合、保持していた対象の移動局１に関する品質情報値を破棄して新たに受信した品質情報値を格納するとともに、その品質情報値を用いて移動局１に送信する情報送信電力制御を行う。
【００２４】
図３は本発明の一実施例による移動局１の動作を示すフローチャートであり、図４は本発明の一実施例による基地局３の動作を示すフローチャートであり、図５は本発明の一実施例の原理を説明するための図である。これら図１〜図５を参照して本発明の一実施例による移動通信システムの動作について説明する。
【００２５】
まず、移動局１はＨＳ−ＤＰＣＣＨ設定時より所定の間隔で品質情報の算出処理を開始する（図３ステップＳ１〜Ｓ３）。この場合、移動局１は品質情報算出結果と移動局１内に格納されている前回出力結果とを比較し（図３ステップＳ４）、それらの値が同じであれば、品質情報を送信情報としてＨＳ−ＤＰＣＣＨに含めない。
【００２６】
また、移動局１は品質情報算出結果と移動局１内に格納されている前回出力結果とが異なる場合、格納してあった前回出力結果を破棄し、新たに算出した品質情報を格納するとともに、算出した品質情報を基地局３向けの送信情報としてＨＳ−ＤＰＣＣＨに含める処理を行い、基地局３に対して送信する（図３ステップＳ５）。
【００２７】
次に、基地局３はＨＳ−ＤＰＣＣＨ設定時より所定の間隔で情報を読出し処理を開始する。基地局３は所定の時間内に受信した制御情報に品質情報値が含まれていなかった場合（図４ステップＳ１１〜Ｓ１４）、基地局３内で格納していた品質情報値を代わりに適用し、その品質情報値を送信電力制御等の処理に利用する（図４ステップＳ１５）。
【００２８】
また、基地局３は所定の時間内に受信した情報に品質情報値が含まれてた場合（図４ステップＳ１１〜Ｓ１４）、格納されていた該当の移動局１に対する品質情報値を破棄し、新たに受信した品質情報値を格納するとともに、その品質情報値を送信電力制御等の処理に利用する（図４ステップＳ１６）。
【００２９】
従来、移動局１と基地局３との間の伝送品質の変動に関わらず、所定の時間間隔で品質情報を送信しているが、本実施例では、上記のような処理を実施することによって、移動局１と基地局３との間の伝送品質が変化した場合にのみ品質情報を送信することができ、品質情報送信にかかる移動局１の電力消費や無線資源の節約を行うことができる。
【００３０】
品質情報値を算出するための受信電力値の測定にはＣＰＩＣＨを用い、算出した品質情報値はＨＳ−ＤＰＣＣＨを用いて基地局３に送信される。図５において、送信間隔は１ＴＴＩ（Ｔｒａｎｓｍｉｓｓｉｎ  Ｔｉｍｅｒ  Ｉｎｔｅｒｖａｌ）であるが、実施に当たって送信間隔は一定でも可変でもよい。
【００３１】
ＵＬ（Ｕｐ  Ｌｉｎｋ）  ＨＳ−ＤＰＣＣＨは上りの制御用チャネルで、品質情報、ＨＡＲＱ（Ｈｙｂｒｉｄ  Ａｕｔｏｍａｔｉｃ  Ｒｅｐｅａｔ  Ｒｅｑｕｅｓｔ）のＡＣＫ／ＮＡＣＫ（Ａｃｋｎｏｗｌｅｄｇｅ／Ｎｅｇａｔｉｖｅ  Ａｃｋｎｏｗｌｅｄｇｅ）を送信するために用いられ、１ＴＴＩ毎にデータの内容が変化する。
【００３２】
また、該当するＰＤＳＣＨがＣｏｍｐｒｅｓｓ  Ｍｏｄｅ（異周波ハンドオーバを行うために、異周波数のセルの測定を可能とするための機能）中だった場合、品質情報計算は実施されず、常にＤＴＸ（Ｄｉｓｃｏｎｔｉｎｕｏｕｓ  Ｔｒａｎｓｍｉｓｓｉｏｎ）値を示す。この場合も、ＤＴＸ値が複数回連続して算出されると、二回目以降の品質情報を送信しない。
【００３３】
このように、本実施例では、必要な場合だけ移動局１から基地局３へ品質情報を送信することになるので、移動局１の消費電力の削減及び上り無線リンクおける干渉波電力の削減を図ることができ、これによる上り無線容量増加等の効果が得られる。
【００３４】
また、本実施例では、所定の間隔で毎回品質情報を実施しなくても異常処理としない構成を用意することによって、例えば移動局１側で処理量の大きいＳＮＲ（Ｓｉｇｎａｌ  Ｎｏｉｓｅ  Ｒａｔｉｏ）計算を伴う品質情報計算が所定の間隔に間に合わなかった場合でも、システム全体の動作が破綻しないため、システム全体の安定性を高めることができる。
【図面の簡単な説明】
【００３５】
【図１】本発明の一実施例による移動局の構成を示すブロック図である。
【図２】本発明の一実施例による基地局の構成を示すブロック図である。
【図３】本発明の一実施例による移動局の動作を示すフローチャートである。
【図４】本発明の一実施例による基地局の動作を示すフローチャートである。
【図５】本発明の一実施例の原理を説明するための図である。
【符号の説明】
【００３６】
１  移動局
３  基地局
１１，３１  アンテナ
１２，３２  Ｄｕｐ
１３，３３  受信ＲＦ部
１４  ＨＳ−ＰＤＳＣＨ／ＨＳ−ＳＣＣＨ／ＤＰＣＨ復調部
１５  ＣＰＩＣＨ測定部
１６  品質情報生成部
１７，３６  品質情報処理部
１８，２１，３９  ＭＵＸ
１９，２０，３７  変調部
２２，４０  送信ＲＦ部
３４  復調部
３５  分離部
３８  送信電力制御部
【図１】
2006229382.tif 000003
【図２】
2006229382.tif 000004
【図３】
2006229382.tif 000005
【図４】
2006229382.tif 000006
【図５】
2006229382.tif 000007